(57)【要約】【課題】偽造行為が規制された紙幣や有価証券等の特殊画像に対する偽造防止機能を低コストで実現すること。【解決手段】スキャナ１０は読み取った画像データをページ毎或いはジョブ毎に暗号化してコンピュータ２０に送信し、当該画像データが偽造規制された特殊画像であるか否かを判定する。更にスキャナ１０は、特殊画像の場合、当該送信済み画像データの消去をコンピュータ２０に指示し、特殊画像でない場合、画像データに施された暗号を復号化する為の復号化データを生成してコンピュータ２０に送信する。コンピュータ２０は、送信済み画像データの消去の指示をスキャナ１０から受信すると、記憶部２２に格納された該当する画像データを消去し、上記復号化データをスキャナ１０から受信すると、該当する画像データを当該復号化データに基づいて復号化する。【選択図】　　　　　図１
2004023418.tif 000002
【特許請求の範囲】
【請求項１】
原稿画像を読み取って画像データを出力する画像読取装置と、該画像読取装置から出力された画像データを画像処理する画像処理装置とを備えた画像読取システムにおいて、
前記画像読取装置は、
前記画像処理装置にデータを送信する送信手段と、
前記画像データを暗号化する暗号化手段と、
前記画像データが、予め設定された所定カテゴリに属する画像か否かを判定する為の判定データを記憶する記憶手段と、
前記記憶手段に記憶された前記判定データを参照して、前記画像データが前記所定カテゴリに属する画像か否かを判定する判定手段と、
前記暗号化手段により暗号化された暗号化済み画像データを前記送信手段により前記画像処理装置に送信させる処理と、当該暗号化前の画像データが前記所定カテゴリに属する画像か否かを前記判定手段により判定させる処理とを並行して行うように制御する処理順序制御手段と、
前記判定手段により前記画像データが前記所定カテゴリには属さないと判定された場合、当該画像データの前記暗号化済み画像データを復号化する為の復号化データを前記画像処理装置に送信するよう前記送信手段を制御する送信制御手段とを備え、
前記画像処理手段は、
前記画像読取装置から送信される前記暗号化済み画像データ及び復号化データを受信する受信手段と、
前記受信手段により受信された暗号化済み画像データを格納する画像データ格納手段と、
前記画像データ格納手段に格納された暗号化済み画像データに対する復号化データが前記受信手段により受信されると、当該復号化データに基づいて前記画像データ格納手段に格納された当該暗号化済み画像データを復号化する復号化手段と、
を備えたことを特徴とする画像読取システム。
【請求項２】
前記送信制御手段は、
前記判定手段により前記画像データが前記所定カテゴリに属していると判定された場合、当該画像データを消去する旨の指示を前記画像処理装置に送信するよう前記送信手段を制御し、
前記画像処理装置は、
前記画像データを消去する旨の指示が前記受信手段により受信されると、当該画像データを前記画像データ格納手段から消去する消去手段を更に備えたことを特徴とする請求項１記載の画像読取システム。
【請求項３】
前記暗号化手段は、
前記原稿のページ毎又は各処理毎に暗号化の方式を変更可能であることを特徴とする請求項１又は２に記載の画像読取システム。
【請求項４】
前記暗号化手段は、
前記画像データの暗号化をハードウェアを用いて行うことを特徴とする請求項１〜３のいずれか一項に記載の画像読取システム。
【請求項５】
前記送信制御手段は、
前記復号化データとして、復号化用のプログラムを前記画像処理装置に送信するよう前記送信手段を制御し、
前記復号化手段は、
前記受信手段により受信された前記復号化用のプログラムに基づいて、前記暗号化済み画像データを復号化することを特徴とする請求項１〜４のいずれか一項に記載の画像読取システム。
【請求項６】
前記記憶手段は、
前記画像データが偽造規制された画像か否かを判定する為の偽造規制判定データを記憶し、
前記判定手段は、
前記記憶手段に記憶された前記偽造規制判定データを参照して、前記画像データが偽造規制された画像か否かを判定することを特徴とする請求項１〜５のいずれか一項に記載の画像読取システム。
【発明の詳細な説明】
【０００１】
【発明の属する技術分野】
本発明は、偽造行為が規制された紙幣や有価証券等の特殊画像に対する偽造防止機能を備えた画像読取システムに関する。
【０００２】
【従来の技術】
近時、偽造行為が規制された紙幣や有価証券等の特殊画像に対する偽造防止機能を備えたスキャナ等の画像読取装置が提案されている。これは、近年の画像処理技術・画像形成技術の向上に伴い、画像読取装置によって上記特殊画像を実物と区別できない程に極めて精巧に複写できるようになったことに起因する。
【０００３】
上記画像読取装置は、特定原稿の画像（以下、特殊画像という）であるか否かを判定する特殊原稿判定データを内蔵メモリに予め格納し、当該特殊原稿判定データに基づいて読み取った画像が上記特殊画像であるか否かを判定する。画像読取装置は、読み取った画像が特殊画像であると判定した場合、当該特殊画像の画像データをプリンタ等の外部装置に出力しないよう制御する。
【０００４】
【発明が解決しようとする課題】
しかし、上記従来技術については、以下の問題点がある。上記偽造防止機能を備えた画像読取装置は、特殊画像であるか否かの判定処理に所定時間を要する為、読み取った画像データを一旦メモリに格納して当該判定処理を行い、次いで、この判定結果に応じて画像データをプリンタ等の外部装置に出力するか否かを判別する。従って、判定処理が終了するまで読み取った画像データを一旦格納する為の大容量メモリが必要となり、コスト高となる。
【０００５】
本発明の課題は、偽造行為が規制された紙幣や有価証券等の特殊画像に対する偽造防止機能を低コストで実現することを目的とする。
【０００６】
【課題を解決するための手段】
上記課題を解決するため、請求項１記載の発明は、
原稿画像を読み取って画像データを出力する画像読取装置と、該画像読取装置から出力された画像データを画像処理する画像処理装置とを備えた画像読取システムにおいて、
前記画像読取装置は、
前記画像処理装置にデータを送信する送信手段と、
前記画像データを暗号化する暗号化手段と、
前記画像データが、予め設定された所定カテゴリに属する画像か否かを判定する為の判定データを記憶する記憶手段と、
前記記憶手段に記憶された前記判定データを参照して、前記画像データが前記所定カテゴリに属する画像か否かを判定する判定手段と、
前記暗号化手段により暗号化された暗号化済み画像データを前記送信手段により前記画像処理装置に送信させる処理と、当該暗号化前の画像データが前記所定カテゴリに属する画像か否かを前記判定手段により判定させる処理とを並行して行うように制御する処理順序制御手段と、
前記判定手段により前記画像データが前記所定カテゴリには属さないと判定された場合、当該画像データの前記暗号化済み画像データを復号化する為の復号化データを前記画像処理装置に送信するよう前記送信手段を制御する送信制御手段とを備え、
前記画像処理手段は、
前記画像読取装置から送信される前記暗号化済み画像データ及び復号化データを受信する受信手段と、
前記受信手段により受信された暗号化済み画像データを格納する画像データ格納手段と、
前記画像データ格納手段に格納された暗号化済み画像データに対する復号化データが前記受信手段により受信されると、当該復号化データに基づいて前記画像データ格納手段に格納された当該暗号化済み画像データを復号化する復号化手段と、
を備えたことを特徴とする。
【０００７】
また、請求項２記載の発明のように、請求項１記載の発明において、
前記送信制御手段は、
前記判定手段により前記画像データが前記所定カテゴリに属していると判定された場合、当該画像データを消去する旨の指示を前記画像処理装置に送信するよう前記送信手段を制御し、
前記画像処理装置は、
前記画像データを消去する旨の指示が前記受信手段により受信されると、当該画像データを前記画像データ格納手段から消去する消去手段を更に備えるのが好ましい。
【０００８】
また、請求項３記載の発明のように、請求項１又は２に記載の発明において、
前記暗号化手段は、
前記原稿のページ毎又は各処理毎に暗号化の方式を変更可能であるのが好ましい。
【０００９】
また、請求項４記載の発明のように、請求項１〜３のいずれか一項に記載の発明において、
前記暗号化手段は、
前記画像データの暗号化をハードウェアを用いて行うのが好ましい。
【００１０】
また、請求項５記載の発明のように、請求項１〜４のいずれか一項に記載の発明において、
前記送信制御手段は、
前記復号化データとして、復号化用のプログラムを前記画像処理装置に送信するよう前記送信手段を制御し、
前記復号化手段は、
前記受信手段により受信された前記復号化用のプログラムに基づいて、前記暗号化済み画像データを復号化するのが好ましい。
【００１１】
また、請求項６記載の発明のように、請求項１〜５のいずれか一項に記載の発明において、
前記記憶手段は、
前記画像データが偽造規制された画像か否かを判定する為の偽造規制判定データを記憶し、
前記判定手段は、
前記記憶手段に記憶された前記偽造規制判定データを参照して、前記画像データが偽造規制された画像か否かを判定するのが好ましい。
【００１２】
従って、判定手段による判定処理が終了するまで画像データを一旦格納する為の大容量メモリを設ける必要がなくなるので、製造に要するコストの低減化が図られる。
また、画像データを暗号化する時間と当該暗号化された画像データを画像処理装置に送信する時間内で、所定カテゴリ或いは偽造規制された画像データか否かを判定する処理が行われる一方で、暗号化された画像データは、暗号化の後に画像処理装置に速やかに送信されるので、処理時間の短縮化が図られる。
また、読み取られた画像データは、ページ毎或いはジョブ単位で異なる方式で暗号化される為、暗号を不正に解読して特殊原稿を偽造するのは極めて困難となる。
また、画像データの暗号化は、画像読取装置内部のハードウェアで行われるため、暗号化の方法を解析して装置を不正に改造するのは極めて困難となる。
すなわち、本発明を適用した画像読取システムによれば、偽造行為が規制された紙幣や有価証券等の特殊画像に対する偽造防止機能を低コストで実現できる。
【００１３】
【発明の実施の形態】
以下、本発明を適用した好ましい実施例を、図１及び図２を参照して詳細に説明する。
ここで、以下に説明するスキャナ１０は、本発明の請求項に記載された原稿画像を読み取る画像読取手段が有する機能を実現し、記憶部１２は、判定データを記憶する記憶手段が有する機能を実現し、通信部１３は、データを送信する送信手段が有する機能を実現し、制御部１４は、処理順序制御手段と送信手段を制御する送信制御手段とが各々有する機能を実現し、画像判定部１４ａは、所定カテゴリ或いは偽造規制された画像か否かを判定する判定手段が有する機能を実現し、暗号処理部１４ｂは、画像データを暗号化する暗号化手段が有する機能を実現し、通信部２１は、データを受信する受信手段が有する機能を実現し、記憶部２２は、画像データを格納する画像データ格納手段が有する機能を実現し、制御部２３は、暗号化済み画像データを復号化する復号化手段が有する機能を実現する。
【００１４】
画像読取システム１００の構成について説明する。図１は、画像読取システム１００の要部構成を示すブロック図である。
図１に示すように、画像読取システム１００は、スキャナ１０及びコンピュータ２０等を備えて構成される。スキャナ１０とコンピュータ２０とは、ＵＳＢやシリアル方式等に基づいてデータの送受信が行われる。
【００１５】
まずスキャナ１０について説明する。スキャナ１０は、ＣＣＤ１１、記憶部１２、通信部１３及び制御部１４等を備える。ＣＣＤ１１は原稿から画像を読み取って電気的な画像データとして出力し、記憶部１２はスキャナ１０の各種動作を制御する為のプログラムを格納すると共に特殊画像か否かを判定する為の特殊画像判定データを格納する。また、通信部１３はスキャナ１０からコンピュータ２０にデータの送信を行う為のインタフェースを備える。
【００１６】
制御部１４は、記憶部１２に格納されたプログラムを実行してスキャナ１０の各種動作を制御する。また、制御部１４は、画像判定部１４ａ及び暗号処理部１４ｂを備える。
【００１７】
画像判定部１４ａは記憶部１２に格納された特殊画像判定データを参照してＣＣＤ１１により読み取られた画像データが特殊画像であるか否かを判定し、暗号処理部１４ｂはＣＣＤ１１により読み取られた画像データをページ単位毎或いはジョブ単位毎にランダムに異なった方式で暗号化する。ここで当該暗号化は、ハードウェア処理によって行われる。
【００１８】
更に暗号処理部１４ｂは、暗号化した画像データをコンピュータ２０に送信すると共に、当該画像データが特殊画像でない旨の通知を画像判定部１４ａから受信すると、当該画像データに対する暗号を復号化する為の復号化データを生成してコンピュータ２０に送信する。また暗号処理部１４ｂは、読み取られた画像データが特殊画像である旨の通知を画像判定部１４ａから受信すると、既に送信済みの画像データを消去する旨の指示をコンピュータ２０に送信する。
【００１９】
次にコンピュータ２０について説明する。コンピュータ２０は、通信部２１、記憶部２２及び制御部２３等を備える。通信部２１は、ＵＳＢやシリアル方式等、スキャナ１０から送信されたデータを受信するためのインタフェースを備える。また、通信部２１は、インターネット等の専用通信回線を介してデータの送受信を行う為のインタフェースや、電話回線又はＩＳＤＮ回線等の公衆通信回線を介してデータの送受信を行う為の図示しないモデム（ＭＯＤＥＭ：ＭＯｄｕｌａｔｏｒ／ＤＥＭｏｄｕｌａｔｏｒ）又はターミナルアダプタ（ＴＡ：Ｔｅｒｍｉｎａｌ　Ａｄａｐｔｅｒ）等を備える。
【００２０】
記憶部２２は、記録媒体２２ａを固定的或いは着脱自在に備え、コンピュータ２０の動作を制御する為の主制御プログラムや各種アプリケーションプログラム（特に、スキャナ１０の駆動処理を含む）等を格納する。更に記憶部２２は、スキャナ１０から送信された画像データを格納する。なお、上記主制御プログラムや各種アプリケーションプログラムを記録媒体２２ａに格納するようにしても良いし、上記送信された画像データを記録媒体２２ａに格納するようにしても良い。
【００２１】
制御部２３は、スキャナ１０から復号化データを受信すると、記憶部２２に格納された画像データの復号化処理を行う。ここで当該復号化はソフトウェア処理によって行われる。
【００２２】
また制御部２３は、スキャナ１０から送信済みの画像データを消去する旨の指示を受信すると、記憶部２２或いは記録媒体２２ａに格納された該当する画像データを消去する。
【００２３】
次に動作を説明する
図２は、スキャナ１０による画像読取処理を説明するフローチャートである。
【００２４】
まず、原稿から画像データがＣＣＤ１１により読み取られる、暗号処理部１４ｂは、当該画像データをページ毎或いはジョブ単位で異なる方式で暗号化する（ステップＳ１０）。
【００２５】
暗号処理部１４ｂは、ステップＳ１０の段階で暗号化した画像データを通信部１３を介してコンピュータ２０へ送信する（ステップＳ１２）。また、画像判定部１４ａは記憶部１２に格納された特殊画像判定データを参照して上記ＣＣＤ１１により読み取られた画像データが特殊画像でるか否かを判定する（ステップＳ１４）。
【００２６】
ステップＳ１４の段階で、画像データが特殊画像であると画像判定部１４ａにより判定された場合（ステップＳ１４；Ｙｅｓ）、暗号処理部１４ｂは、この旨を画像判定部１４ａから受信すると、ステップＳ１２の段階で既にコンピュータ２０に送信済みの画像データを消去する旨の指示をコンピュータ２０に送信する（ステップＳ１６）。
コンピュータ２０は、ステップＳ１６の後、上記送信済み画像データを消去する旨の指示をスキャナ１０から受信すると、記憶部２２に格納された該当する画像データを消去して外部に出力しない。
【００２７】
ステップＳ１４の段階で、画像データが特殊画像ではないと画像判定部１４ａにより判定された場合（ステップＳ１４；Ｎｏ）、暗号処理部１４ｂは、この旨を画像判定部１４ａから受信すると、ステップＳ１０の段階で行った暗号化を復号化する為の復号化データをコンピュータ２０に送信する（ステップＳ１８）。コンピュータ２０は、ステップＳ１８の後、上記復号化データをスキャナ１０から受信すると、当該受信した復号化データに基づき記憶部２２に格納された該当する画像データを復号化する。
【００２８】
以上説明したように、本実施の形態の画像読取システム１００は、原稿から画像データを読み取るスキャナ１０及び画像データを処理するコンピュータ２０を備え、スキャナ１０は読み取った画像データをページ毎或いはジョブ毎に暗号化してコンピュータ２０に送信すると共に、当該画像データが偽造規制された特殊画像であるか否かを判定する。更にスキャナ１０は、特殊画像の場合、当該送信済み画像データの消去をコンピュータ２０に指示し、特殊画像でない場合、画像データに施された暗号を復号化する為の復号化データを生成してコンピュータ２０に送信する。コンピュータ２０は、送信済み画像データの消去の指示をスキャナ１０から受信すると、記憶部２２に格納された該当する画像データを消去し、上記復号化データをスキャナ１０から受信すると、該当する画像データを当該復号化データに基づいて復号化する。
【００２９】
従って、判定処理が終了するまで読み取った画像データを一旦格納する為の大容量メモリを設ける必要がなくなるので、製造に要するコストの低減化が図られる。
また、画像データを暗号化する時間と当該暗号化された画像データをコンピュータ２０に送信する時間内で、特殊画像か否かを判定する処理が行われる一方で、暗号化された画像データは、暗号化の後にコンピュータ２０に速やかに送信されるので、処理時間の短縮化が図られる。
また、読み取られた画像データは、ページ毎或いはジョブ単位で異なる方式で暗号化される為、暗号を不正に解読して特殊原稿を偽造するのは極めて困難となる。
また、画像データの暗号化は、スキャナ１０内部のハードウェアで行われるため、暗号化の方法を解析して装置を不正に改造するのは極めて困難となる。
【００３０】
すなわち、本発明を適用した画像読取システムによれば、偽造行為が規制された紙幣や有価証券等の特殊画像に対する偽造防止機能を低コストで実現できる。
【００３１】
なお、本実施の形態における記述は、本発明に係る画像読取システムの一例を示すものであり、これに限定されるものではない。本実施の形態における画像読取システム１００の細部構成、及び詳細動作に関しては、本発明の趣旨を逸脱しない範囲で適宜変更可能である。
【００３２】
例えば、スキャナ１０から送信される暗号化された画像データは、コンピュータ２０で処理されるとしたが、コンピュータ２０に限らず、プリンタやファクシミリ等の画像形成装置であっても良い。
【００３３】
【発明の効果】
本発明によれば、判定手段による判定処理が終了するまで画像データを一旦格納する為の大容量メモリを設ける必要がなくなるので、製造に要するコストの低減化が図られる。
また、画像データを暗号化する時間と当該暗号化された画像データを画像処理装置に送信する時間内で、所定カテゴリ或いは偽造規制された画像データか否かを判定する処理が行われる一方で、暗号化された画像データは、暗号化の後に画像処理装置に速やかに送信されるので、処理時間の短縮化が図られる。
また、読み取られた画像データは、ページ毎或いはジョブ単位で異なる方式で暗号化される為、暗号を不正に解読して特殊原稿を偽造するのは極めて困難となる。
また、画像データの暗号化は、画像読取装置内部のハードウェアで行われるため、暗号化の方法を解析して装置を不正に改造するのは極めて困難となる。
すなわち、本発明を適用した画像読取システムによれば、偽造行為が規制された紙幣や有価証券等の特殊画像に対する偽造防止機能を低コストで実現できる。
【図面の簡単な説明】
【図１】本発明を適用した画像読取システムの要部構成を示すブロック図である。
【図２】図１に示すスキャナによる画像読取処理を説明するフローチャートである。
【符号の説明】
１００　画像読取システム
１０　スキャナ
１１　ＣＣＤ
１２　記憶部
１３　通信部
１４　制御部
１４ａ　画像判定部
１４ｂ　暗号処理部
２０　コンピュータ
２１　通信部
２２　記憶部
２２ａ　記録媒体
２３　制御部
【図１】
2004023418.tif 000003
【図２】
2004023418.tif 000004